(57)【要約】      （修正有）【課題】携帯端末において、通信・通話等の履歴を確認する。【解決手段】履歴確認機能付携帯端末Ａは、ステップＳ１において処理を開始（スタート）すると、ステップＳ２において通話を開始する操作が行われるか否かを検出し、通話を開始する際にはステップＳ３においてはＷＬＡＮ圏内であるか否かを判断し、ＷＬＡＮ圏内であれば、ステップＳ４において、位置情報と、時刻情報と、通信方式情報と、を関連付けて記憶に保存し、ステップＳ５において処理を終了する（エンド）。ステップＳ３においてＷＬＡＮ圏内でない場合には、携帯電話の圏内であるか否かをステップＳ６において判断し、圏外でればステップＳ２に戻る。圏内であれば、ステップＳ７に進み、ステップＳ７において、位置情報と、時刻情報と、通信方式情報と、を関連付けて保存し、ステップＳ８において処理を終了する（エンド）。【選択図】図２
2006180410.tif 000002
【特許請求の範囲】
【請求項１】
通信機能を備えた携帯端末であって、
前記携帯端末の位置情報を取得する位置情報取得部と、
時刻情報を取得する時刻情報取得部と、
前記通信機能を用いた通信に対応して、前記位置情報取得部で取得された位置情報と前記時刻情報取得部で取得された時刻情報とを関連付けする制御部と、
前記関連付けされた位置情報と時刻情報とを記憶する記憶部と、
前記記憶部に記憶された位置情報または時刻情報のうち少なくともいずれか一方を表示可能な表示部と
を有する携帯端末。
【請求項２】
前記制御部は、前記記憶部に記憶された位置情報に基づく位置を、地図とともに前記表示部に表示させることを特徴とする請求項１に記載の携帯端末。
【請求項３】
前記制御部は、前記記憶部に記憶された位置情報に基づいて通信の開始から終了までの少なくとも一部を含む通信中の経路を求め、前記地図上に表示することを特徴とする請求項２に記載の携帯端末。
【請求項４】
前記制御部は、１回の通信に対応して前記位置情報取得部で取得された位置情報と前記時刻情報取得部で取得された時刻情報とを、複数関連付けて前記記憶部に記憶させ、前記記憶部に記憶した位置情報を時間の経過順に結んだ軌跡として前記経路を求めることを特徴とする請求項３に記載の携帯端末。
【請求項５】
前記制御部は、前記記憶部に記憶された時刻情報を、当該時間情報に関連付けられた位置情報に基づく位置に対応させて表示することを特徴とする請求項２に記載の携帯端末。
【請求項６】
前記通信機能は、複数の通信方式に対応しており、
前記制御部は、前記複数の通信方式に対応して、前記位置情報取得部で取得された位置情報と前記時刻情報取得部で取得された時刻情報とを関連付けて前記記憶部に記憶させ、前記通信方式が識別可能な形態で前記記憶部に記憶された位置情報または時刻情報を前記表示部に表示させることを特徴とする請求項１に記載の携帯端末。
【請求項７】
前記制御部は、前記通信機能を用いた通信に対応して、その通信内容とともに、前記位置情報取得部で取得された位置情報と前記時刻情報取得部で取得された時刻情報とを関連付けて前記記憶部に記憶させ、前記通信内容が識別可能な形態で前記記憶部に記憶された位置情報または時刻情報を前記表示部に表示させることを特徴とする請求項１に記載の携帯端末。
【請求項８】
前記位置情報取得部は、複数の位置情報取得手段を有しており、
前記制御部は、前記位置情報を、当該位置情報を取得した際に用いた位置情報取得手段と対応付けて前記記憶部に記憶させ、前記位置情報取得手段毎に識別可能な形態で前記記憶部に記憶された位置情報または時刻情報を前記表示部に表示させることを特徴とする請求項１に記載の携帯端末。
【請求項９】
前記位置情報取得手段は、それぞれ異なる精度で位置情報を取得することを特徴とする請求項８に記載の携帯端末。
【請求項１０】
前記制御部は、前記時刻情報のうち通信開始時間と通信終了時間とに基づいて通信時間を求め、前記地図表示上に表示させることを特徴とする請求項２に記載の携帯端末。
【請求項１１】
前記制御部は、前記通信機能を用いた通信に対応して、その通信に要した通信料金とともに、前記位置情報取得部で取得された位置情報と前記時刻情報取得部で取得された時刻情報とを関連付けて前記記憶部に記憶させ、前記通信料金が識別可能な形態で記記憶部に記憶された位置情報または時刻情報を前記表示部に表示させることを特徴とする請求項１に記載の携帯端末。
【請求項１２】
前記記憶部は、前記地図に関する情報を記憶しており、
前記制御部は、前記記憶部に記憶された地図を前記表示部に表示させることを特徴とする請求項２に記載の携帯端末。
【請求項１３】
前記制御部は、前記通信機能を用いた通信によって取得された地図を前記表示部に表示させる特徴とする請求項２に記載の携帯端末。
【請求項１４】
通信機能を備えた携帯端末における利用履歴の表示方法であって、
前記携帯端末の位置情報を取得するステップと、
時刻情報を取得するステップと、
前記通信機能を用いた通信に対応して、取得した位置情報と時刻情報とを関連付けするステップと、
前記関連付けされた位置情報と時刻情報とを記憶するステップと、
前記位置情報によって基づく位置を、地図とともに前記表示部に表示させるステップと
を有することを特徴とする表示方法。
【請求項１５】
請求項１４に記載のステップをコンピュータに実行させるためのプログラム。
【発明の詳細な説明】
【技術分野】
【０００１】
本発明は、携帯端末に関し、特に携帯電話による通話・通信・アプリケーションの使用などの履歴を確認できる機能を備えた履歴確認機能付携帯端末に関する。
【背景技術】
【０００２】
携帯電話機を中心とした携帯端末の急激な普及に伴って、携帯端末を用いて、いつでもどこでも、通信と通話とができるようになってきた。それに伴い、通信・通話・アプリケーションの使用（以下、省略して「使用」と称する。）の頻度が高くなってきている。
【０００３】
特許文献１には、携帯電話からの情報閲覧要求に応じて、その時間や携帯電話の位置などを、情報を提供するサーバ側に格納しておく技術が記載されている。これにより、サーバ側の管理者は、ある情報がどのような場所でニーズがあったかに関する情報をえることができる。
【０００４】
【特許文献１】特開２００３−９１５３６号公報
【発明の開示】
【発明が解決しようとする課題】
【０００５】
上記に記載の技術は、携帯端末の利用者側の立場にたった情報の収集に関するものではない。ところで、携帯端末を利用する場合に、いつ、どこで、どの程度の時間だけ使用したかに関して、後で請求書がきた場合などに忘れてしまっている場合も多くなっている。すなわち、利用者は、携帯電話の利用に関連して、１）どこで何をしていたかを知りたい。２）高額な請求書が来たとき、いつ、どこでの通話が高額だったのかを思い出したい。３）どこのルートを辿って道を歩いていたかを知りたい。４）位置測位精度を知りたい。などの要求をもつ。本発明は、利用者側において自己の携帯端末の利用状況を後から又はリアルタイムに確認できる機能を備えた履歴確認機能付携帯端末を提供することを目的とする。
【課題を解決するための手段】
【０００６】
本発明の携帯端末は、位置情報取得手段を備える携帯端末であり、通話をしたときの位置情報と時刻情報とを記憶し、地図上に通話したときの位置を表示することを特徴とする。表示方法としては、通話開始時（途中でも終了でもいい）の位置にマークを表示する。通話開始位置と通話終了位置を記憶し、通話中は一定時間間隔で位置情報を取得。それらの位置情報を線で結んで、通話中の移動軌跡を表示する。
【０００７】
また、複数の通信方式（例えば、GSM、W-CDMA、CDMA2000、PHS、IEEE802.11ｂ、赤外線通信、ブルートゥースなど）に対応し、通話したときの位置情報と時刻情報と通信方式情報を記憶することを特徴とし、表示するとき通信方式を区別して表示する（マークや線の色を変える。マークの形を変える）ことを特徴とする。
【０００８】
複数の通信内容（音声通話、メール、TV電話、通信ゲーム、アプリなど）に対応し、通信したとき（ゲームなどではゲームを開始したとき）の位置情報と時刻情報と通信内容情報を記憶することを特徴とし、表示するとき通信内容ごとに区別して表示する（マークや線の色を変える。マークの形を変える）ことを特徴とする。
【０００９】
複数の位置情報取得手段（GPS、RFID、基地局など）に対応し、通話したときの位置情報と時刻情報と位置情報取得手段情報を記憶することを特徴とし、表示するとき位置情報取得手段を区別して表示（マークや線の色や太さを変える。マークの形を変える）することを特徴とする。
【００１０】
通話開始時と通話終了時の時刻より通話時間を求め、通話時間を表示に反映させる（マークや線の色を変える。マークの大きさ、線の太さを変える。）ことを特徴とする。
【００１１】
通話終了時に携帯端末会社に通話料金の確認を行い、通話料金を表示に反映させる（マークや線の色を変える。マークの大きさ、線の太さを変える。）ことを特徴とする。
【００１２】
本発明の他の観点によれば、位置情報と時刻情報とを取得可能な携帯端末における利用履歴の表示方法であって、通話の際に取得した位置情報と時刻情報とを関連付けするステップと、関連付けされた前記位置情報と前記時刻情報とを記憶するステップと、前記位置情報によって特定される位置を含む地図を該位置とともに表示するとともに、通話に関する履歴情報を前記地図に表示するステップと、を有することを特徴とする表示方法が提供される。上記ステップをコンテンツに実行させるためのプログラムも含まれる。
【発明の効果】
【００１３】
以上、本発明による携帯端末においては、通信・通話等の履歴を確認することができるため、例えば料金の確認や、自己の行動の確認のための防備録としても利用することができる。
【発明を実施するための最良の形態】
【００１４】
以下、本発明の実施の形態による履歴確認機能付携帯端末について図面を参照しつつ説明を行う。図１は、本発明の第１の実施の形態による履歴確認機能付携帯端末の構成例を示す機能ブロック図である。図２は、本実施の形態による履歴確認機能付携帯端末の利用手順を示すフローチャート図である。図３は、履歴確認機能付携帯端末に記録されている情報例を示す図である。図４は、本実施の形態による履歴確認機能付携帯端末の表示画面に表示される履歴情報の一例を示す図である。本実施の形態による履歴確認機能付携帯端末は、複数の通信方式に対応した携帯端末である。
【００１５】
図１に示すように、本実施の形態による履歴確認機能付携帯端末Ａは、全体を制御する主制御部（ＣＰＵ）１と、携帯電話無線部３と、第１のアンテナ１１と、通信方式選択部５と、ＷＬＡＮ無線部７及び第２のアンテナ１５と、記憶部１７と、時計２１と、表示ドライバ（表示制御部）２５と、操作部２７と、ＬＣＤモニタなどを利用した表示部３１と、を有している。記憶部１７に地図情報を記憶しておいても良い。又は、携帯端末Ａとネットワーク接続される地図サーバから地図を取得するようにしても良い。通信方式選択部５は、携帯電話無線部３とＷＬＡＮ無線部７とのいずれかを使用するように択一的に選択する。
【００１６】
図２に示すように、本実施の形態による履歴確認機能付携帯端末Ａは、ステップＳ１において処理を開始（スタート）すると、ステップＳ２において通話を開始する操作が行われるか否かを検出し、通話を開始する際にはステップＳ３においてはＷＬＡＮ圏内であるか否かを判断し、ＷＬＡＮ圏内であれば、ステップＳ４において、位置情報と、時刻情報と、通信方式情報と、を関連付けて記憶部１７に保存し、ステップＳ５において処理を終了する（エンド）。ステップＳ３においてＷＬＡＮ圏内でない場合には、携帯電話の圏内であるか否かをステップＳ６において判断し、圏外でればステップＳ２に戻る。圏内であれば、ステップＳ７に進み、ステップＳ７において、位置情報と、時刻情報と、通信方式情報と、を関連付けて保存し、ステップＳ８において処理を終了する（エンド）。尚、ＷＬＡＮ圏内であれば、その方が現状では一般的に料金が安価又は無料であるため、こちらを優先的に用いるのが好ましい。
【００１７】
図３に示すように、記憶部１７に、Ｋ駅で８月１０日の９時２０分に携帯電話で通話を行った履歴と、Ｍ区Ｎ１丁目で９月１日の１３時５分にＷＬＡＮで通信を行った履歴とが記憶されている。図４は、記憶部１７に記憶されている地図情報と、図３に示す履歴情報と、に基づいて、表示部３１に履歴中の位置情報に含まれる近傍の地図を表示するとともに、この地図内における通話・通信の履歴情報を、通信方式毎に識別可能な形態で、好ましくは通信・通話日時の情報を付加して表示する。ここでは、９月１日のＳ社におけるＷＬＡＮの使用と、８月１０日のＫ駅における携帯電話に使用に関する表示が行われている。これにより、利用者は携帯電話の利用場所と利用日時と通信方式とを含む利用状況を一目で認識することができる。尚、記憶の形態としては、地図は外部からダウンロードし、図３に示す情報のみを記憶しておくことも可能である。図４に示す地図毎記憶することもできるが、記憶容量が大きくなるため、図３に示す情報のみを記憶しておく方が好ましい。
【００１８】
次に、本発明の第２の実施の形態による履歴確認機能付携帯端末について図面を参照しつつ説明を行う。本実施の形態による履歴確認機能付携帯端末は、通信中の利用者の移動軌跡を表示することができる点を特徴とする。図５は、本実施の形態による履歴確認機能付携帯端末の動作の流れを示すフローチャート図である。図６は、保存情報の一例を示す図である。図７は、本実施の形態による履歴確認機能付携帯端末に表示される表示例を示す図である。
【００１９】
図５に示すように、まずステップＳ２−１において、処理を開始し（スタート）、ステップＳ２−２において通信を開始するか否かを判断する。通信を開始する場合には、ステップＳ２−３に進み、現在位置がＷＬＡＮ圏内であるか否かを判断する。現在位置がＷＬＡＮ圏内であると判断された場合には、ＷＬＡＮにより通信又は通話を行い、現在位置情報を取得し、時刻情報を取得する。ステップＳ２−４において、位置情報、時刻情報、通信方位情報、通信開始情報、を関連付けして記憶する。ステップＳ２−５において通話を終了するか否かを判断し、終了する場合には、ステップＳ２−６において終了時点での位置情報と時刻情報とを関連付けして記憶し、処理を終了する（ステップＳ２−７）。
【００２０】
ステップＳ２−５において通話を終了しない場合には、ステップＳ２−８に進み、ある間隔で、ある時点での位置情報、時刻情報を関連付けして記憶し続ける。これにより、ＷＬＡＮによる通話中の軌跡を記憶しておくことができる。
【００２１】
ステップＳ２−３においてＷＬＡＮ圏内でないと判断された場合には、ステップＳ２−９に進み、携帯電話の通話圏内であるか否かを判断する。圏内であれば携帯電話による通話を行い、ステップＳ２−１０において、現在時点における位置情報、時刻情報、通信方式情報、通信開始情報を取得しこれらを関連付けして記憶し、ステップＳ２−１１に進む。ステップＳ２−１１において、通話を終了するか否かを判断し、終了する場合には、ステップＳ２−１２において終了時点での位置情報、時刻情報、通信方位情報、通信開始情報、を関連付けして記憶し、処理を終了する（ステップＳ２−１３）。
【００２２】
ステップＳ２−１１において通話を終了しない場合には、ステップＳ２−１４に進み、ある間隔で、ある時点での位置情報、時刻情報、通信方位情報、通信開始情報、を関連付けして記憶し続ける。これにより、携帯電話による通話中の軌跡を記憶しておくことができる。
【００２３】
図６、７は、上記の処理に基づいて得られた位置情報と時刻情報と通信方式と通信開始/終了に関する情報を時刻毎に示す図である。図６に示す情報においては、通話の開始から終了までは継続してある通信方式で通話が行われていたものと考えられる。図７は、図６に示す情報と地図情報とに基づいて、携帯電話に表示させた通話に関する軌跡の情報を示す図である。図７に示すように、８月１０日の９時２０分にＳ社において携帯電話の通信が開始され、９時２３分にＫ駅に行く途中で携帯電話の通話が終了していること、９月１日の１３時０５分にＫ駅でＷＬＡＮの通話を行い、１３時６分にＫ駅を出たところでＷＬＡＮの通話が終了していることがわかる。このように、本実施の形態によれば、通信位置を継続的に取得するため、通信に関する軌跡を得ることができ、第１の実施の形態よりも時間的継続性に関してより詳しい情報を得ることができる。時間情報における通話の開始時点と終了時点との差分を求めることにより通話期間を知ることも可能である。また、時間情報と位置情報とを関連付けしているため、どの時点においてどこに居たか、どの経路を通っていたかなどに関する２次元的な情報も得ることができるため、より詳細な情報を得ることができる。
【００２４】
次に、本発明の第３の実施の形態による履歴確認機能付携帯端末について図面を参照しつつ説明を行う。本実施の形態による履歴確認機能付携帯端末は、複数の通信内容に対応した携帯端末であることを特徴とする。図８は、本実施の形態による履歴確認機能付携帯端末の構成例を示す機能ブロック図である。図９は、本実施の形態による履歴確認機能付携帯端末の動作の流れを示すフローチャート図である。図１０は、本実施の形態による記録部における保存情報例を示す図である。図１１は、履歴確認機能付携帯端末に表示される表示例を示す図である。
【００２５】
図８に示すように、本実施の形態による履歴確認機能付携帯端末Ｂは、基本的には第１及び第２の実施の形態による履歴確認機能付携帯端末と同様の構成を有している。すなわち、本実施の形態による履歴確認機能付携帯端末Ｂは、携帯電話無線部４３と、アンテナ４１と、主制御部４５と、時計５１と、操作部５３と、記憶部５５と、表示ドライバ５７と、表示部５９と、を有している。本実施の形態による履歴確認機能付携帯端末Ｂは、主制御部４５に、音声符号化・復号化部４７と、Ｗｅｂブラウザ４８と、を有している。音声符号化・復号化部４７は、音声通話に用いられる。Ｗｅｂブラウザ４８は、インターネットなどの通信に用いられる。図９に示すように、ステップＳ１１において処理が開始され、ステップＳ１２において通話を開始するか否かを判断する。通話を開始する場合には、ステップＳ１３に進み、位置情報・時刻情報・通話開始情報を取得し関連付けして保存する。次いで、ステップＳ１４において、Ｗｅｂを開始するか否かを判断し、Ｗｅｂ閲覧を開始する場合にはステップＳ１５に進み、位置情報・時刻情報・通話開始情報・Ｗｅｂ開始情報を関連付けして保存する。次いで、ステップＳ１７においてＷｅｂ閲覧を終了するか否かを判断し、Ｗｅｂ閲覧を終了する場合にはステップＳ１８に進み、位置情報・時刻情報・通話開始情報・Ｗｅｂ終了情報を関連付けして保存する。次いで、ステップＳ２０において、通話を終了するか否かを判定し、通話を終了する場合にはステップＳ２１に進み、位置情報・時刻情報・通話終了情報を関連付けして保存し処理を終了する（エンド：ステップＳ２３）。ステップＳ１４において、Ｗｅｂを開始しない場合には、ステップＳ１６に進み、位置情報・時刻情報を関連付けして保存し続ける。ステップＳ１７においてＷｅｂを終了しない場合にも、ステップＳ１９に進み、位置情報・時刻情報を関連付けして保存し続ける。さらに、ステップＳ２０において通話を終了しない場合にも、ステップＳ２２に進み、位置情報・時刻情報を関連付けして保存し続ける。
【００２６】
ステップＳ１２において、通話を開始しない場合において、ステップＳ２４においてＷｅｂを開始するか否かを判断し、Ｗｅｂを開始する場合には、ステップＳ２５に進み、位置情報・時刻情報・Ｗｅｂ開始情報を関連付けして保存する。次いで、ステップＳ２７において、Ｗｅｂを終了するか否かを判断し、終了する場合にはステップＳ２７に進み、位置情報・時刻情報・Ｗｅｂ終了情報を関連付けして保存し、ステップＳ２９において処理を終了する。ステップＳ２４においてＷｅｂを開始しない場合には、ステップＳ１２に戻る。ステップＳ２６において、Ｗｅｂを終了しない場合には、ステップＳ２８に進み、位置情報・時刻情報を関連付けして保存し続ける。
【００２７】
以上の処理により取得されたデータの一例である図１０に示すように、通話中に、Ｗｅｂを開始した場合、終了した場合にも対応することができる。図１１に示すように、Ｓ社において８月１０日の９時２０分に通話を開始し、Ｋ駅までの経路の途中まで継続して通話を行っている。この通話中に、ある期間中Ｗｅｂの閲覧も同時に行っている様子がわかる。Ｗｅｂの閲覧中の通話はイヤホン・マイクなどを利用して行うことができる。
【００２８】
以上に説明したように、本実施の形態による履歴確認機能付携帯端末によれば、通話中にＷｅｂ閲覧を行った場合にもその使用履歴を確認することができる。尚、Ｗｅｂ閲覧中に通話を行った場合も同様である。
【００２９】
次に、本発明の第４の実施の形態による履歴確認機能付携帯端末について図面を参照しつつ説明を行う。本実施の形態による履歴確認機能付携帯端末は、複数の位置情報取得手段に対応した携帯端末であることを特徴とする。図１２は、本実施の形態による履歴確認機能付携帯端末の一構成例を示す図であり、図１３は本実施の形態による履歴確認機能付携帯端末の動作を示す図である。図１４は、本実施の形態による記録部における保存情報例を示す図である。図１５は、履歴確認機能付携帯端末に表示される表示例を示す図である。
【００３０】
図１２に示すように、本実施の形態による履歴確認機能付携帯端末Ｃは、全体を制御する主制御部（ＣＰＵ）６５と、アンテナ６１と、携帯電話無線部６３と、記憶部７１と、時計６７と、表示ドライバ（表示制御部）７３と、操作部６９と、ＬＣＤモニタなどを利用した表示部７５と、複数の位置情報取得手段であって、ＧＰＳ位置情報取得部７７及び第１のアンテナ７９と、ＲＦＩＤ位置情報取得部８３及び第２のアンテナ８５と、ＧＰＳ位置情報取得部７７とＲＦＩＤ位置情報取得部８３とを択一的に選択する位置情報取得手段選択部８１と、を有している。
【００３１】
図１３に示すように、ステップＳ３１において動作を開始し、ステップＳ３２において通話を開始するか否かを判断する。通話を開始する場合には、ステップＳ３３に進み、ＲＦＩＤ位置情報取得部８３の圏内であるか否かを判断する。圏内であれば、ステップＳ３４に進み、位置情報・時刻情報・位置情報取得手段が何であるかに関する情報・通話開始情報を関連付けして保存する。ステップＳ３５において通話を終了したか否かを判定し、終了であればステップＳ３６に進み、位置情報・時刻情報・通話終了情報を関連付けして保存し、処理を終了する（ステップＳ３８）。通話を終了しない場合には、ステップＳ３７において位置情報・時刻情報を関連付けて保存し、ステップＳ３５に戻る。
【００３２】
ステップＳ３３において、ＲＦＩＤ位置情報取得部８３の圏内でないと判断された場合には、ステップＳ３９に進み、ＧＰＳ位置情報取得部７７の圏内であるか否かを判断する。ＧＰＳ位置情報取得部７７の圏内である場合には、ステップＳ４０に進み、位置情報・時刻情報・位置情報取得手段情報・通話開始情報を関連付けして保存する。ステップＳ４１において通話を終了したか否かを判定し、終了であればステップＳ４２に進み、位置情報・時刻情報・通話終了情報を関連付けして保存し、処理を終了する（ステップＳ４４）。通話を終了しない場合には、ステップＳ４３に進み、位置情報・時刻情報を関連付けして保存しステップＳ４１に戻る。
【００３３】
ステップＳ３９においてＧＰＳ圏内でないと判定された場合には、ステップＳ４５に進み、位置情報・時刻情報・位置情報取得手段情報・通話開始情報を関連付けして保存する。ステップＳ４６において通話を終了したか否かを判定し、終了であればステップＳ４７に進み、位置情報・時刻情報・通話終了情報を関連付けして保存し、処理を終了する（ステップＳ４９）。通話を終了しない場合には、ステップＳ４８に進み、位置情報・時刻情報を関連付けして保存しステップＳ４６に戻る。尚、本実施例においては、位置検出精度が、ＲＦＩＤ、ＧＰＳ、基地局の順に良いとしているため、位置検出精度が良い位置情報取得手段が優先的に選択されるようにしている。
【００３４】
図１４に示すように、記憶される情報は、位置情報と、その位置情報を取得した際の時刻情報と、その位置情報を取得した際の位置測位手段（基地局、ＧＰＳ、ＲＦＩＤ）と、の記録ができる。この記録に基づいて、図１４に示す表示を得ることができる。図１５においては、８月１０日９時２０分にＳ社において基地局からの情報に基づいて位置情報を得ている。次いで、同日の９時２１分にも基地局からの情報に基づいて位置情報を得ている。次いで、同日の９時２２分には、ＧＰＳに基づいて基地局の情報よりも精度の高い位置情報を取得する。次いで、９月１日の１３時０５分には、ＲＦＩＤに基づいてＧＰＳの情報よりも精度の高い位置情報を取得する。このように、位置情報取得手段別に表示を行うことで、どのような位置情報取得手段を用いていたかを知ることができる。
【００３５】
次に、本発明の第５の実施の形態による通話時間を算出し表示する携帯端末について説明を行う。図１６に示すように、ステップＳ５１において動作を開始し（スタート）、ステップＳ５２において通話を開始するか否かを判断する。通話を開始する場合には、ステップＳ５３に進み、現在位置情報を取得する。通話を開始しない場合には、ステップＳ５２に戻る。次いでステップＳ５４において開始時刻情報を取得し、ステップＳ５５において位置情報と通話開始時刻情報とを関連付けして記憶する。ステップＳ５６において、通話を終了するか否かを判断し、通話を終了する場合にはステップＳ５７に進み終了時刻情報を取得する。次いで、ステップＳ５８に進み、開始時刻と終了時刻より通話時間を算出する。ステップＳ５９において通話時間を位置情報と関連付けして記憶し、処理を終了する（ステップＳ６０：エンド）。通話を終了しない場合には、ステップＳ５６に戻る。
【００３６】
図１７は、本実施の形態による記憶情報例を示す図である、図１７に示すように、位置情報と通話開始時刻情報と通話時間とが関連付けされて記憶されている。このテーブルを元にして、図１７に示す表示を行うことができる。図１８に示すように、通話時刻と通話位置及び通話時間とが示される。ここで、通話時間は例えば円の大きさにより表示することができ、これにより視覚的に認識しやすい形態で通話時間を表示することができる。
【００３７】
次に本発明の第６の実施の形態による携帯端末について図面を参照しつつ説明を行う。図１９は、本実施の形態による携帯端末における動作を示すフローチャート図である。図１９に示すように、ステップＳ７１において、処理を開始し（スタート）、ステップＳ７２において通話を開始するか否かを判断する。通話を開始する場合には、ステップＳ７３に進み、現在位置情報を取得する。通話を開始しない場合には、ステップＳ７２に戻る。次いでステップＳ７４において開始時刻情報を取得し、ステップＳ７５において位置情報と通話開始時刻情報とを関連付けして記憶する。ステップＳ７６において、通話を終了するか否かを判断し、通話を終了する場合にはステップＳ７７に進み携帯電話会社に通話料確認要求を送信する。次いで、ステップＳ７８に進み、携帯電話会社から通話料を受信する。ステップＳ７９において通話料を位置情報と関連付けして記憶し、処理を終了する（ステップＳ８０：エンド）。通話を終了しない場合には、ステップＳ７６に戻る。
【００３８】
図２０は、本実施の形態による記憶情報例を示す図である、図２０に示すように、位置情報と通話開始時刻情報と通話料金とが関連付けされて記憶されている。このテーブルを元にして、図１８と同様の表示を行うことができる。通話料金は例えば円の大きさにより表示することができ、これにより視覚的に認識しやすい形態で通話料金を表示することができる。
【００３９】
以上、本発明の各実施の形態による携帯端末においては、通信・通話等の履歴を確認することができるため、例えば料金の確認や、防備録としても利用することができる。
【産業上の利用可能性】
【００４０】
本発明は、携帯端末の便利な機能として利用できる。  
【図面の簡単な説明】
【００４１】
【図１】本発明の第１の実施の形態による履歴確認機能付携帯端末の構成例を示す機能ブロック図である。
【図２】本実施の形態による履歴確認機能付携帯端末の利用手順を示すフローチャート図である。
【図３】履歴確認機能付携帯端末に記録されている情報例を示す図である。
【図４】本実施の形態による履歴確認機能付携帯端末の表示画面に表示される履歴情報の一例を示す図である。
【図５】本実施の形態による履歴確認機能付携帯端末は、複数の通信方式に対応した携帯端末である。
【図６】本発明の第２の実施の形態による履歴確認機能付携帯端末の保存情報の一例を示す図である。
【図７】本実施の形態による履歴確認機能付携帯端末に表示される表示例を示す図である。
【図８】本発明の第３の実施の形態による履歴確認機能付携帯端末の構成例を示す機能ブロック図である。
【図９】本実施の形態による履歴確認機能付携帯端末の動作の流れを示すフローチャート図である。
【図１０】本実施の形態による記録部における保存情報例を示す図である。
【図１１】履歴確認機能付携帯端末に表示される表示例を示す図である。
【図１２】本発明の第４の実施の形態による履歴確認機能付携帯端末の一構成例を示す図である。
【図１３】本実施の形態による履歴確認機能付携帯端末の動作を示す図である。
【図１４】本実施の形態による記録部における保存情報例を示す図である。
【図１５】履歴確認機能付携帯端末に表示される表示例を示す図である。
【図１６】本発明の第５の実施の形態による通話時間を算出し表示する携帯端末の動作を示す図である。
【図１７】本実施の形態による記録部における保存情報例を示す図である。
【図１８】履歴確認機能付携帯端末に表示される表示例を示す図である。
【図１９】本発明の第６の実施の形態による携帯端末における動作を示すフローチャート図である。
【図２０】本実施の形態による記録部における保存情報例を示す図である。
【符号の説明】
【００４２】
Ａ…履歴確認機能付携帯端末、１…主制御部（ＣＰＵ）１、３…携帯電話無線部、５…通信方式選択部、７…通信に関連するＷＬＡＮ無線部、１１…第１のアンテナ、１５…第２のアンテナ、１７…記憶部、２１…時計、２５…表示ドライバ（表示制御部）、２７…操作部、３１…表示部。
【図１】
2006180410.tif 000003
【図２】
2006180410.tif 000004
【図３】
2006180410.tif 000005
【図４】
2006180410.tif 000006
【図５】
2006180410.tif 000007
【図６】
2006180410.tif 000008
【図７】
2006180410.tif 000009
【図８】
2006180410.tif 000010
【図９】
2006180410.tif 000011
【図１０】
2006180410.tif 000012
【図１１】
2006180410.tif 000013
【図１２】
2006180410.tif 000014
【図１３】
2006180410.tif 000015
【図１４】
2006180410.tif 000016
【図１５】
2006180410.tif 000017
【図１６】
2006180410.tif 000018
【図１７】
2006180410.tif 000019
【図１８】
2006180410.tif 000020
【図１９】
2006180410.tif 000021
【図２０】
2006180410.tif 000022